【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
モバイルデバイスにおいて、
第１の衛星測位システム（ＳＰＳ）時間を含む第１の位置フィックスを取得するために１つまたは複数の第１のＳＰＳ信号を収集することと、
前記第１の位置フィックスに応答して第１のタイムスタンプを取得することと、前記第１のタイムスタンプがネットワーク時間を基準とし、ここにおいて、前記ネットワーク時間が、基地局によって送信された信号に少なくとも部分的に基づく、
第２のＳＰＳ時間を含む第２の位置フィックスを取得するために１つまたは複数の第２のＳＰＳ信号を収集することと、
前記第２の位置フィックスに応答して第２のタイムスタンプを取得することと、前記第２のタイムスタンプが前記ネットワーク時間を基準とする、
時間不確実性を決定することと、ここにおいて、前記時間不確実性が、前記第１のＳＰＳ時間と前記第２のＳＰＳ時間との間の第１の差と、前記第１のタイムスタンプと前記第２のタイムスタンプとの間の第２の差とに少なくとも部分的に基づく、
を備える、方法。
【請求項２】
前記決定された時間不確実性に少なくとも部分的に基づいて、後続のＳＰＳ信号を探索するためのウィンドウの時間次元を決定することをさらに備える、請求項１に記載の方法。
【請求項３】
基地局から収集された信号に少なくとも部分的に基づいて前記時間不確実性を決定することをさらに備え、ここにおいて、前記時間不確実性を決定することが、前記基地局から収集された前記信号の伝搬時間の測定された変化に少なくとも部分的に基づいて前記時間不確実性を決定することをさらに備える、請求項１に記載の方法。
【請求項４】
１つまたは複数のセンサーによって生成された信号に少なくとも部分的に基づいて、前記基地局から収集された前記信号の前記伝搬時間の前記測定された変化を測定することをさらに備える、請求項３に記載の方法。
【請求項５】
加速度計、ジャイロスコープ、磁力計、またはそれらの任意の組合せを含む１つまたは複数のセンサーによって生成された信号に少なくとも部分的に基づいて前記モバイルデバイスの位置の変化を推定することと、
位置の前記推定された前記変化に少なくとも部分的に基づいて前記基地局から収集された前記信号の前記伝搬時間の前記変化を測定することと、
前記基地局から収集された前記信号の前記伝搬時間の前記測定された変化に少なくとも部分的に基づいて、前記１つまたは複数の第２のＳＰＳ信号の収集のための収集ウィンドウを決定することと
をさらに備える、請求項３に記載の方法。
【請求項６】
前記モバイルデバイスの位置の前記変化を推定することが、前記１つまたは複数のセンサーによって生成された前記信号に少なくとも部分的に基づいて前記モバイルデバイスの移動の軌道をたどることをさらに備える、請求項５に記載の方法。
【請求項７】
前記１つまたは複数の第１のＳＰＳ信号と前記１つまたは複数の第２のＳＰＳ信号とが同じグローバルナビゲーション衛星システムによって送信される、請求項１に記載の方法。
【請求項８】
前記第１のＳＰＳ時間がデータ信号におけるビットエッジの検出から取得される、請求項１に記載の方法。
【請求項９】
較正結果をサーバに送信することをさらに備え、前記較正結果が前記決定された時間不確実性に少なくとも部分的に基づく、請求項１に記載の方法。
【請求項１０】
衛星測位システム（ＳＰＳ）信号を収集するための第１の受信機と、
基地局から送信された１つまたは複数の信号を受信するための第２の受信機と、
前記第１の受信機において収集された１つまたは複数の第１のＳＰＳ信号に少なくとも部分的に基づいて、第１のＳＰＳ時間を含む第１の位置フィックスを計算することと、
前記第１の位置フィックスに応答して第１のタイムスタンプを取得することと、前記第１のタイムスタンプがネットワーク時間を基準とし、前記ネットワーク時間が、前記基地局から送信され、前記第２の受信機において受信された前記１つまたは複数の信号に少なくとも部分的に基づく、
前記第１の受信機において収集された１つまたは複数の第２のＳＰＳ信号に少なくとも部分的に基づいて、第２のＳＰＳ時間を含む第２の位置フィックスを計算することと、
前記第２の位置フィックスに応答して第２のタイムスタンプを取得することと、前記第２のタイムスタンプが前記ネットワーク時間を基準とする、
前記第１のＳＰＳ時間と前記第２のＳＰＳ時間との間の第１の差と、前記第１のタイムスタンプと前記第２のタイムスタンプとの間の第２の差とに少なくとも部分的に基づいて時間不確実性を決定することと
を行うために構成された１つまたは複数のプロセッサと
を備える、モバイルデバイス。
【請求項１１】
前記１つまたは複数のプロセッサが、
前記決定された時間不確実性に少なくとも部分的に基づいて、後続のＳＰＳ信号を探索するためのウィンドウの時間次元を決定すること
を行うためにさらに構成された、請求項１０に記載のモバイルデバイス。
【請求項１２】
前記１つまたは複数のプロセッサが、前記時間不確実性ベースを決定するためにさらに構成され、ここにおいて、前記時間不確実性を決定することが、前記基地局から送信された前記受信された１つまたは複数の信号の伝搬時間の測定された変化に少なくとも部分的に基づいて前記時間不確実性を決定することをさらに備え、好ましくは、
１つまたは複数のセンサーをさらに備え、ここにおいて、前記１つまたは複数のプロセッサが、前記１つまたは複数のセンサーによって生成された信号に少なくとも部分的に基づいて、前記基地局から送信された前記受信された１つまたは複数の信号の前記伝搬時間の前記測定された変化を決定するためにさらに構成され、または、
加速度計、ジャイロスコープ、磁力計、またはそれらの任意の組合せを含む１つまたは複数のセンサーをさらに備え、ここにおいて、前記１つまたは複数のプロセッサが、
前記１つまたは複数のセンサーによって生成された信号に少なくとも部分的に基づいて前記モバイルデバイスの位置の変化を推定することと、
前記モバイルデバイスの位置の前記推定された変化に少なくとも部分的に基づいて前記基地局から送信された前記受信された１つまたは複数の信号の前記伝搬時間の前記変化を測定することと
を行うためにさらに構成され、ここにおいて、前記１つまたは複数のプロセッサが、前記１つまたは複数のセンサーによって生成された前記信号に少なくとも部分的に基づいて前記モバイルデバイスの移動の軌道をたどることによって前記モバイルデバイスの位置の前記変化を推定するために構成された、請求項１０に記載のモバイルデバイス。
【請求項１３】
前記１つまたは複数の第１のＳＰＳ信号と前記１つまたは複数の第２のＳＰＳ信号とが同じグローバルナビゲーション衛星システムによって送信され、または、
前記第１のＳＰＳ時間がデータ信号におけるビットエッジの検出から取得される、請求項１０に記載のモバイルデバイス。
【請求項１４】
送信機をさらに備え、ここにおいて、前記１つまたは複数のプロセッサが、サーバへの較正結果の送信を開始することにおいて構成され、前記較正結果が前記決定された時間不確実性に少なくとも部分的に基づく、請求項１０に記載のモバイルデバイス。
【請求項１５】
請求項１から９のいずれか一項に記載の方法を行うように、モバイルデバイスの１つまたは複数のプロセッサによって実行可能である記憶された機械読み取り可能な命令を備える、非一時的な記憶媒体。